【事件の表示】
　特許第２８４６４３５号「画像形成装置」の請求項１ないし８に係る特許に対する特許異議の申立てについて、特許庁は、平成１２年２月１５日付けで、「特許２８４６４３５号の請求項１ないし８に係る発明の特許を取り消す。」との異議の決定し、その後、前記異議の決定の取消を求める訴えが東京高等裁判所に提起され、その訴えの係属中に、本件明細書の特許請求の範囲及び発明の詳細な説明の訂正をする訂正審判の請求が特許庁に対してなされ、訂正２００１−３９０４６号事件として特許庁に係属した。
　特許庁は、平成１３年１０月３０日付けで、本件訂正を認める旨の審決をした。
　そして、東京高等裁判所において、前記異議の決定取消の判決（平成１３年（行ヶ）５号、平成１３年１２月２６日判決言渡し）があったので、さらに審理のうえ、次のとおり決定する。
次のとおり決定する。
【結　論】
　特許第２８４６４３５号の請求項１（異議申立時の請求項５を訂正した請求項）に係る特許を維持する。
【理　由】
１.手続の経緯
　特許第２８４６４３５号に係る特許発明は、平成２年８月２７日の出願であって、平成１０年１０月３０日にその特許の設定登録がなされ、その後、平成１１年４月１６日に清水彰より特許異議の申立がなされ、平成１１年７月１３日に山田将之より特許異議の申立がなされ、さらに平成１１年７月１
２日に寺脇弘子より特許異議の申立がなされ、そして平成１２年２月１５日付けで異議の決定がなされたものである。その後、東京高等裁判所に出訴され、平成１３年３月２１日付けで訂正審判（２００１−３９０４６）が請求され、同年１０月３０日にその訂正を認める審決がなされたものである。
　
２．本件特許発明
　上記訂正の審判により、特許異議の申立時の請求項１〜４，６〜８は削除され、請求項５は、訂正され請求項１とされた。
　そして訂正後の請求項１に係る特許発明の要旨は、上記訂正の審判による訂正後の願書に添付した明細書及び図面の記載からみて、その特許請求の範囲の請求項１に記載された以下の通りのものと認める。
　
　「【請求項１】原稿よりの反射光を撮像素子に結像する光学系を有する読取手段と、
　該読取手段よりの画像信号に基づいて画像を形成する作像手段と、
　記録紙を収納し１枚宛作像手段へ給送する給紙装置を構成する用紙手段とを備えており、
　前記読取手段が作像手段の上方に該作像手段との間で空間を形成するように支持枠により支持され、前記支持枠が前記読取手段を支持することによってコ型状ユニットを形成するとともに、記録紙排紙トレイが前記空間に位置するように設けられていることを特徴とする画像形成装置。」
　
３．特許異議申立の概要
（１）申立人　清水彰は、甲第１号証（特開平２−３２３７１号公報）、甲第２号証（特開平２−１６９４７３号公報）、甲第３号証（特開平１−２７１３６３号公報）、甲第４号証（特開平２−１８９０６９号公報）、及び甲第５号証（特願平２−２２４７５８号（特開平４−１０５４５８号公報））を提出し、本件請求項１ないし５に係る発明は、甲第１〜４号証に記載されている発明に基づいて当業者が容易に発明し得るものであるから、特許法第２９条第２項の規定に違反してなされたものであり、特許を受けることができないものであるから、本件請求項１ないし５に係る発明の特許は、特許法第１１３条第１項第２号の規定により取り消されるべきものである旨主張し、
　また、申立人　清水彰は、本件請求項８に係る発明の特許は、明細書又は図面に記載されていないから、特許法第１７条の２第３項の規定を満たしておらず、特許法第１１３条第１号の規定により取り消されるべきものである旨主張し、
　また更に、申立人　清水彰は、本件請求項１ないし５、及び８に係る発明の特許は、特許法第３６条第４項の規定に違反してなされたものであるから、特許法第１１３条第４号の規定に該当し第１１４条第２項の規定により取り消されるべきものである旨主張している。
（２）申立人　山田将之は、甲第１号証（米国特許明細書第４，９４７，３４５号明細書）、甲第２号証（特開平２−１６５３１８号公報）、甲第３号証（特開平２−１６９４７３号公報）、甲第４号証（特開平２−１０５１６５号公報）、甲第５号証（特公昭５３−３４４９４号公報）、及び甲第６号証（特開平３−１２０１２５号公報）を提出し、本件請求項１ないし８に係る発明は、甲第１〜３号証記載された発明と同一であるか、又は、甲第１〜３号証に記載された発明及び甲第４号証、甲第５号証に記載された発明に基づいて当業者が容易に発明をすることができたものであるから、特許法第２９条第１項又は同条第２項の規定に違反してなされたものであり、本件請求項１ないし８に係る発明の特許は、特許法第１１３条の第１項第２号の規定により取り消されるべきものであると主張している。
　また、申立人　山田将之は、本件請求項１ないし３に係る発明は、その出願前の出願であってその出願後に出願公開された甲第６号証に記載された発明と同一であるから、特許法第２９条の２の規定に違反してなされたものであるから、本件請求項１ないし３に係る発明の特許は取り消されるべきものである旨を主張し、
　また更に、申立人　山田将之は、本件特許出願に係る明細書及び図面の記載が不備であり、特許法第３６条第３項及び第４項の規定の要件を満たしていないから、本件請求項１ないし８に係る発明の特許は、特許法第１１３条第１項第４号の規定により取り消されるべきものである旨主張している。
　
（３）申立人　寺脇弘子は、甲第１号証（特開平２−２０９２４７号公報）、甲第２号証（特開平１−１３３４６２号公報）、甲第３号証（特開平１−３１７９３７号公報）、及び甲第４号証（特開昭６４−４２６６２号公報）を提出し、本件請求項１ないし８に係る発明は、甲第１号証〜第４号証に記載された発明から当業者が容易に発明し得るものであるから、特許法第２９条第２項の規定に違反してなされたものであり、本件請求項１ないし８に係る発明の特許は、同法第１１３条第１項第２号の規定により取り消されるべきものである旨主張している。
　
４．各甲号証に記載されている発明
（Ａ）清水彰が提出した各甲号証に記載されている発明
（Ａ．１）甲第１号証（特開平２−３２３７１号公報）には、図面とともに以下の事項が記載されている。
　
（ア）「第１図の上部は原稿像を読み取り、デジタル・カラー画像データを出力するカラー・イメージ・スキャナ部１（以下、スキャナ部１と略す）と、スキャナ部１に内蔵されデジタル・カラー画像データの各種の画像処理を行うとともに、外部装置とのインターフェース等の処理機能を有するコントローラ部２より構成される。」（第２頁左上欄第１〜７行）
　
（イ）「第１図の下部は、コントローラ部２より出力されたカラー・デジタル画像信号を記録紙に記録するためのプリンタ部３である。」（第２頁左上欄第２０行〜同頁右上欄第２行）
　
（ウ）「露光ランプ１４、レンズ１５、フルカラーでライン・イメージの読み取りが可能なイメージ・センサ１６（本実施例ではＣＣＤ）によって、原稿台ガラス１７上に置かれた原稿像、プロジェクタによる投影像、または、シート送り機構１２によるシート原稿像を読み取る。次に、各種の画像処理をスキャナ部１とコントローラ部２で行い、プリンタ部３で記録紙に記録する。第２図において、記録紙は小型定型サイズ（本実施例ではＡ４〜Ａ３サイズまで）のカット紙を収納する給紙カセット２０と、大型サイズ（本実施例ではＡ２〜Ａ１サイズまで）の記録を行うためのロール紙２９より供給される。」（第２頁右上欄第１１行〜同頁左下欄第５行）
　
（エ）「ピック・アップ・ローラ２４は、給紙カセット２０よりカット紙を１枚づつ給紙するためのローラであり、給紙されたカット紙はカット紙送りローラ２５により給紙第１ローラ２６まで搬送される。」（第２頁左下欄第１１〜１４行）
　
（オ）「プリントされた記録紙は、排紙トレイ２３に排出されプリント動作を完了する。」（第３頁左上欄第１３〜１４行）
　
（Ａ．２）甲第２号証（特開平２−１６９４７３号公報）には、図面とともに以下の事項が記載されている。
　
（カ）「本ファクシミリ装置は、上段に原稿読取部が、下段に画像記録部が、それぞれ配置された構成を成し、送信済原稿及び受信済原稿は、中段の排紙トレイ１０７に排出される。
〈原稿読取部〉
　原稿読取部は、原稿トレイ１１７、該原稿トレイ１１７上に載置された原稿１２３を１枚づつ給紙するための給紙ローラ１１８、給紙された原稿を露光する露光ランプ１１９、原稿画像をセルフォックレンズアレイ１２０を介して走査して電気信号に変換するイメージセンサ１２１、走査後の原稿を搬送する原稿搬送ローラ１２２、原稿の場合と記録紙の場合とで経路を切り換える切り換え爪１１５（原稿排出時には実線位置、記録紙排出時には破線位置）、用紙（原稿又は記録紙）の排出を検出する排紙検出センサ１２４、用紙を排出する排出ローラ対１１６、等より構成される。
〈画像記録部〉
　画像記録部は、図中矢印方向に回転可能に軸支された感光体ドラム、画像データに応じてＯＮ・ＯＦＦするレーザ光を出力するレーザ装置（半導体レーザ、ポリゴンミラー等）１０８ａ、出力されたレーザ光を反射して感光体ドラムに導くための反射鏡１０８ｂ、１０８ｃ、レーザ照射に先立ち感光体ドラムを帯電する帯電チャージャ１１１、感光体ドラムに形成される静電潜像をトナー現像する現像装置１１２、記録を収納する記録紙カセット１０１、カセットから記録を給紙する給紙ローラ１０２、給紙された記録紙を所定のタイミングで感光体ドラム〜転写チャージャ間に送出するタイミングローラ対１０３、感光体ドラム上のトナー像を記録紙に転写するための転写チャージ亜１１３、トナー像を転写された記録紙を感光体ドラムから分離するための分離チャージャ１１４、分離された記録紙を搬送する搬送ベルト１０４、搬送ローラ対１０５、１０６、等より構成される。」（第２頁左下欄第４行〜同頁右下欄第２０行）
　
（Ａ．３）甲第３号証（特開平１−２７１３６３号公報）には、図面とともに下記の事項が記載されている。
　
（キ）「転写材Ｐは上で方向を変換し、排紙ローラ１６によって排紙トレイー兼用の開閉カバー１７に排紙される。」（第２頁左第１６〜１９行）
　
（Ａ．４）甲第４号証（特開平２−１８９０６９号公報）には、図面とともに下記の事項が記載されている。
　
（ク）「第２図に示すようにリーダー１を移動させてプリンター２を凹部Ｄから露出させ、前ドア２８を開放することで作業を実施することが出来る。」（第４頁右下欄第１４から６行）
　
（Ｂ）山田将之が提出した各甲号証に記載されている発明
（Ｂ．１）甲第１号証（米国特許明細書第４，９４７，３４５号公報）には、図面とともに次の事項が記載されている。
　
「訳：第１図は本発明の待ち行列管理方法を利用するようにした多機能複写、プリント兼ファクシミリ装置の主な構成部材を示す説明図」
 
（イ）「Machine 5 has a laser printer 7 and document scanner 9 together with touch panel type User Interface(UI) 10 for controlling and programming machine operation.」（第２欄第５７〜６０行）
「訳：装置５は、レーザプリンタ７、ドキュメントスキャナ９及び装置の動作を制御、プログラムするためのタッチパネル型ユーザインターフェース（ＵＩ）を有する。」
　
（ウ）「Printer 7 includes a photoreceptor drum 20 ,the outer surface 22 of which is coated with a suitable photoconductive material,and a charge corotron 28 for charging the drum photoconductive surface 22 in preparation for imaging. Drum 20 is suitable joulnaled for rotation within the machine frame 35, drum 20 rotating in the direction by the arrow s to bring the photoconductive surface thereof past exposure,developer,and transfer stations 32,34,36 of the printer 7.」（第３欄第１０〜１８行）
「訳：プリンタ７は、外面２２が適当な光導電材料で被覆されている光受容体ドラム２０と、潜像の準備としてドラム光導電面２２を帯電させる帯電コロトロン２８とを有する。ドラム２０は矢印方向に回転して、その光導電面を、プリンタ７の露光ステーション３２、現像ステーション３４及び転写ステーション３６を通過させる。」
　
（エ）「A supply of copy sheets 68 is provided by paper trays 70,72,74,trays 70,72,74 each having a feed roll 76 for feeding one sheet at a time from the stack of sheets in the tray to a pinch roll pair 78 where the sheet is registered with the image developed on drum 20. Following registration,the sheet is forwarded to transfer station 36 where the developed image is transferred from photoconductive surface 22 to the copy sheet 68.」（第３欄第４６〜５４行）
「訳：コピーシート６８の供給はトレイ７０、７２、７４によって行われる。トレイ７０、７２、７４は各々がフィードロール７６を有している。このフィードロールは一時に一枚のシートをトレイ内のシートスタックからピンチロール対７８へ送出するようになっており、このピンチロール対７８において、シートはドラム２０上に現像されている画像と整合させられる。整合の後、シートは転写ステーション３６へ送られ、この転写ステーションにおいて、現像済み画像は光導電面２２からコピーシート６８へ転写される。」
　
（オ）「After fusing,the finished copy or print is advanced by print discharge rolls 84 to print output 86.」（第３欄第５８〜６０行）
「訳：定着の後、仕上がったコピー又はプリントはプリント排出ロール８４によってプリント出力トレイ８６は送られる。」
　
（カ）「Document scanner 9 is a dual mode scanner,permitting either manual scanning operation in which a document 110 to be scanned is manually placed upon a transparent platen 101 or automateic scanning in which one or more documents to be scanned are placed on iclined document feed tray 103. Scanner 9 has a CCD type contact array 102 diposed on a movable scan carrage105.」（第３欄第６４行〜第４欄第３行）
「訳：ドキュメントスキャナ９はデュアルモードスキャナであり、ドキュメント１１０が手動で透明なプラテン１０１上に載せられるマニュアル走査、又は、１つ又は複数のドキュメントが傾斜したフィードトレイ１０３上に載せられる自動走査が可能である。スキャナ９は可動走査キャリッジ１０５上に配置されたＣＣＤ型接点アレイ１０２を有する。」
　
（Ｂ．２）甲第２号証（特開平２−１６５３１８号公報号）には、図面とともに次の各事項が記載されている。
　
（キ）「第７図は本発明が適用できるレーザファクシミリの概観図であり、第８図は第７図に示したレーザファクシミリの概略的な回路構成を示したものである。第７図、第８図のレーザファクシミリは機能上他のファクシミリからの画像信号を受信したり、原稿を読み取り画像信号を送信するスキャナコントローラユニット１０と、スキャナコントローラユニット１０が受信したり読み取った画像信号に基づいて記録紙上に記録動作を行うプリンタユニット９とに分けられる。尚、プリンタユニット９としては周知のレーザビームプリンタを使用することができる。又、スキャナコントロールユニット１０とプリンタユニット９は別筐体であり、ケーブルを介して接続されている。図中１はジャム解除用のトップカバー、２は原稿幅を合わせるためのスライダ、３は原稿台、４は原稿台カバー、５は原稿トレイ、６は電話器、７は操作パネル、８はペデイスタル、９ａはカセット、９ｂは排紙トレイである。又、第８図中２１は操作部であり操作パネル７が含まれる。２２は伝送制御部、２３は重旺盛魚部、２４は読み取り部、２５はプリンタインタフェース制御部で、２１〜２５でスキャナコントローラユニットを構成している。」（第２頁左上欄第１３行〜同頁右上欄第１６行）
　
（ク）「第３図（ａ）、（ｂ）はプリンタユニット９の概観図で、９ｃはプリンタ開閉レバー、９ａは記録紙カセット、９ｄはプリンタ表示部，９ｅはプリンタ電源スイッチ、９ｂは記録紙トレイである。第４図はプリンタユニット９の記録紙搬送路の断面図である。図中９１はカセット給紙部、９２は分離搬送部、９３は定着排紙部である。」（第３頁右上欄第１１〜１８行）
　
（ケ）「第３図は記録紙トレイ９ｂを使用しないで、第４図の定着排紙部９３を通過した記録紙を反転させて、第１図の排紙ユニット３１の搬送ガイド３０を導く構成としている。」（第３頁左下欄第４〜７行）
　
（Ｂ．３）甲第３号証（特開平２−１６９４７３号公報）には、図面とともに次の各事項が記載されている。
　
（コ）「本ファクシミリ装置は、上段に原稿読取部が、下段に画像記録部が、それぞれ配置された構成を成し、送信済原稿及び受信済原稿は、中段の排紙トレイ１０７に排出される。
〈原稿読取部〉
　原稿読取部は、原稿トレイ１１７、該原稿トレイ１１７上に載置された原稿１２３を１枚づつ給紙するための給紙ローラ１１８、給紙された原稿を露光する露光ランプ１１９、原稿画像をセルフォックレンズアレイ１２０を介して走査して電気信号に変換するイメージセンサ１２１、走査後の原稿を搬送する原稿搬送ローラ１２２、原稿の場合と記録紙の場合とで経路を切り換える切り換え爪１１５（原稿排出時には実線位置、記録紙排出時には破線位置）、用紙（原稿又は記録紙）の排出を検出する排紙検出センサ１２４、用紙を排出する排出ローラ対１１６、等より構成される。
〈画像記録部〉
　画像記録部は、図中矢印方向に回転可能に軸支された感光体ドラム、画像データに応じてＯＮ・ＯＦＦするレーザ光を出力するレーザ装置（半導体レーザ、ポリゴンミラー等）１０８ａ、出力されたレーザ光を反射して感光体ドラムに導くための反射鏡１０８ｂ、１０８ｃ、レーザ照射に先立ち感光体ドラムを帯電する帯電チャージャ１１１、感光体ドラムに形成される静電潜像をトナー現像する現像装置１１２、記録を収納する記録紙カセット１０１、カセットから記録を給紙する給紙ローラ１０２、給紙された記録紙を所定のタイミングで感光体ドラム〜転写チャージャ間に送出するタイミングローラ対１０３、感光体ドラム上のトナー像を記録紙に転写するための転写チャージ亜１１３、トナー像を転写された記録紙を感光体ドラムから分離するための分離チャージャ１１４、分離された記録紙を搬送する搬送ベルト１０４、搬送ローラ対１０５、１０６、等より構成される。」（第２頁左下欄４行〜同頁右下欄第２０行）
　
（サ）「なお、第２図中、２００は、本ファクシミリの操作パネルである。」（第３頁右上欄第１９行〜同頁左下欄第１行）
　
（Ｂ．４）甲第４号証（特開平２−１０５１６５号公報には、図面とともに次の各事項が記載されている。
　
（シ）「即ち本実施例では、装置本体２の中央に配設される感光ドラム４２、帯電器、現像器、クリーナ等からなる画像形成部４１がプロセスカートリッジ４３として一体に構成され、該プロセスカートリッジ４３の左方には加熱、加圧ローラ４５，４６、搬入、排出ガイド４７，４８、排紙ローラ４９，４９等からなる定着部４４と、転写帯電器５１等からなる転写部５０と、第２搬送ガイド５６、一対のレジストローラ５７，５７の一方等からなる転写紙搬入部５２の一部とが、内枠５８内に上から下へ組み込まれて一体的に着脱可能な定着転写・カートリッジ５９が形成されている。プロセスカートリッジ４３の上方に装置本体２には定着部４４の排紙ローラ４９，４９によって排出される転写紙Ｐの積載部６０が設けられ、プロセスカートリッジ４３の下方にはシートカセット５３、給紙ローラ５４、第１は搬送ガイド５５及びレジストローラ５７，５７の一方等からなる転写紙搬送部５２の一部が配設されている。」（第４頁右上欄第１６行〜同頁左下欄第１４行）
　
（Ｂ．５）甲第５号証（特公昭５３−３４４９４号公報）には、図面ととともに次の事項が記載されている。
　
（ス）「転写紙５６はその収容ケース５７より送りロール群５８により送り出され、各サブシステムの転写ステーション、即ちロール５０，５１及び５２と各感光体間のギャップを通過して、順次各色粉末像が転写されて移送され、最後に定着ユニット５９に送り込まれて、半永久的複写として、定着されて、複写紙収容場所６２へ排出される。」（第４頁左第２９〜３５行）
　
（Ｂ．６）甲第６号証（特開平３−１２０１２５号公報）には、図面とともに次の各事項が記載されている。
　
（セ）「このファクシミリ装置は、大きく分けて給紙ユニットＡ、記録ユニットＢ、読み取りユニットＣ及びオプション給紙トレイＤの４ユニットから構成される。給紙ユニットＡは、ファクシミリ装置の本体下部に設けられ、その上方に記録ユニットＢ及び読み取りユニットＣがこの順に設けられ、記録ユニットＢの右側に相当する本体右側壁にオプション給紙トレイＤが装備される。給紙ユニットＡはファクシミリ受信時において受信情報を記録する記録紙（図示せず）を記録ユニットＢに給紙する。また、このファクシミリ装置が複写機として使用されるコピーモード時においても同様に記録ユニットＢに記録紙を給紙する。かかる給紙ユニットＡは、本体下部に装備され、多数の記録紙を収納する給紙カセット１と、給紙カセット１内の記録紙を一枚ずつ取り出し、記録ユニットＢい給紙する給紙ローラ２と、給紙カセット１の上方部に装備されるファクシミリ制御基板３とを備えてなる。また、給紙ユニットＡの外部にはハンドセット４と、操作表示部（図示せず）が設けられる。このファクシミリ制御基板３には、このファクシミリ装置の制御系のほとんどの機器が装置される。一方、記録ユニットＢには電子写真方式の作像工程を行うイメージングユニット１０と、受信情報をレーザ光に変換してイメージングユニット１０を構成する感光体ドラム１２に露光するプリントヘッド１１とが装置される。感光体ドラム１２には搬送ローラ６とタイミングローラ７を介して前記記録紙が供給される。搬送ローラ６は前記給紙ローラ２から給紙される記録紙を受け取り、タイミングローラ７に供給する。そうすると、タイミングローラ７が時計方向に回転する感光体ドラム１２の回転と同期をとってこれに記録紙を供給する。感光体ドラム１２に供給され、所定の作像工程によりトナー像が転写された記録紙は、感光体ドラム１２から分離され、イメージングユニット１０の左側部に設けられる定着ローラ８の位置に搬送され、ここでの定着工程が完了すると、排出ローラ９によりプリントヘッド１１の上部に設けられる排出トレイ１３上に排出される。」（第２頁右上欄第８行〜同頁右下欄第１０行）
　
（ソ）「読み取りユニットＣは、原稿トレイ２０上にセットされる原稿ＤＣ（第５図参照）の原稿画像を読み取る密着型の読み取りセンサ５０等からなり、読み取った画像データをアナログの画信号として図外の電話回線に送出する。」（第３頁左上欄第３〜７行）　　　　　　　　　　　　　　　　　　　　　　　　　　　　
（Ｃ）寺脇弘子が提出した各甲号証に記載されている発明
（Ｃ．１）甲第１号証（特開平２−２０９２４７号公報）には、図面とともに次の事項が記載されている。
　
（ア）「第５図の上部１は原稿画像を読取り、デジタルカラー画像データを外部装置に出力するカラーイメージスキャナである。第５図の下部３はカラーイメージスキャナ１より出力されたカラーデジタル画像信号を入力し、記録紙に記録するためのプリンタ部である。」（第３頁左上欄第７〜１２行）
　
（イ）「プリンタ部３において、記録紙は小型定型サイズ（本実施例ではＡ４〜Ａ３サイズまで）のカット紙を収納する給紙カセット２０と、大型サイズ（本実施例ではＡ２〜Ａ１サイズまで）の記録を行うためのロール紙を２９より供給される。」（第３頁左下欄第３〜７行）
　
（ウ）「ピック・アップ・ローラ２４は、給紙カセット２０よりカット紙を１枚ずつ給紙するためのローラであり、このピック・アップ・ローラ２４により給紙されたカット紙は、カットし送りローラ２５により給紙用第１ローラ２６まで搬送される。」（第３頁左下欄第１２〜１６行）
　
（エ）「給紙経路のいずれかより選択給紙された記録紙を、給紙用第１ローラ２６まで搬送する。このとき、記録紙の斜行を取り除くため、所定量の紙ループをつくった後に、給紙用第１ローラ２６をオンして給紙用第２ローラ２７に記録紙を搬送する。」（第３頁右下欄第１５行〜第４頁左上欄第４行）
　
（オ）「記録ヘッドによりプリントされた記録紙は、排紙トレイ２３に排出されてプリント動作を完了する。」（第４頁右上欄第９〜１１行）
　
（Ｃ．２）甲第２号証（特開平１−１３３４６２号）には、図面とともに次の各事項が記載されている。
　
（カ）「画像形成装置１は、原稿に付された画像情報の読取走査を行う読取部３を内蔵した画像読取手段（スキャナ）２と、この画像形成手段２を上面に載置する状態で支持するレーザビームを用いた画像形成手段（レーザビームプリンタ）４十を有している。」（第２頁右上欄第１５〜２０行）
　
（キ）「前記画像形成手段４は、ケース２２と、画像形成部１７と、前記ヒートローラ１５Ａ，１５Ｂにより形成される定着部１８十、画像形成部１７に画像形成媒体としての複写紙を供給するためこの複写紙を収容した給紙カセット１９と、排紙ローラ２０Ａ，２０Ｂと、排紙トレイ２１と具備している。」（第３頁左上欄第２０行〜同頁右上欄第６行）
　
（Ｃ．３）甲第３号証（特開平１−３１７９３７号公報）には、図面とともに次の各事項が記載されている。
　
（ク）「１はプリンタ本体機筐であり、その上面板面２を第１の排紙部としての作りつけトレイにしてあり、」（第７頁右上欄第８〜１０行）
　
（ケ）「カセットフィーダ６０の前述上向き出口部７０から上方へ搬送されてプリンタ本体５０の底面側の第１給紙口としての下向き入口部８０に入ってプリンタ本体５０内へ供給されたシート材は、搬送ローラ１０とアイドラコロ９ｃの間、ドラム３と転写ローラ７との間、定着器１１の定着ローラ対間、第２排紙ローラ１２、第１排紙ローラ１３を経由搬送されて第１排紙口１５からプリンタ機筐上面の第１の排紙部としてのトレイ２上に排出される。」（第７頁左下欄第３〜１２行）
　
（Ｃ．４）甲第４号証（特開昭６４−４２６６２号公報）には図面とともに次の事項が記載されている。
　
（コ）「用紙カセットを複写機本体に内蔵した転写型複写機において、前記用紙カセットと、この用紙カセットから用紙を取り出す給紙機構部と、の給紙機構部により送出された用紙を排紙部まで搬送する用紙搬送機構部と、この用紙搬送機構部により移送される用紙に感光体上の現像されたトナー像を転写する転写機構部と、前記感光体の残留トナーを除去するクリーナー機構部と、搬送されてくる用紙上のトナー像を定着する定着機構部と、この定着後の用紙を排出する排紙機構部とを一体に備えたプロセスユニットを設けるとともに、このプロセスユニットを、前記複写機本体に着脱自在に取付けたことを特徴とする転写型複写機」（第１ページ左下欄第５〜１７行）
　
（サ）「第２図は第１図のプロセスユニット２４を複写機本体１から引き出した状態を示し、このプロセスユニット２４には、これを複写機本体１から引き出すための取手２６が設けられ、」（第３頁左上欄第１６〜１９行）
　
５．本件請求項１に係る発明と異議申立人　清水彰が提出した甲第１〜４号証に記載された発明、異議申立人　山田将之が提出した甲第１〜５６号証に記載された発明、そして異議申立人　寺脇弘子が提出した甲第１〜４号証に記載された発明との対比・判断
　請求項１に係る発明と上記各甲号証に記載されている発明を対比すると、上記各甲号証のいずれにも、請求項１に係る発明の必須の構成要件である「前記読取手段が作像手段の上方に該作像手段との間で空間を形成するように支持枠により支持され、前記支持枠が前記読取手段を支持することによってコ型状ユニットを形成するとともに、記録紙排紙トレイが前記空間に位置するように設けられている」点の構成を示す記載がなされていない。そして、請求項１に係る発明はこの点によって明細書に記載されている格別の作用・効果を奏し得るものと認められるから、請求項１に係る発明が上記各甲号証に記載された発明であるとも、また、上記各甲号証に記載されている発明から当業者が容易に発明し得るものとも認められない。
　
６．異議申立人　清水彰、山田将之の本件明細書が記載不備であるとの主張についての検討
　本件明細書の記載は、訂正２００１−３９０４６号事件における訂正により、明瞭となったから、本件請求項１に係る発明は、特許法第３６条第４項及び第５項に規定する要件を満たさない特許出願に対してなされたものであるとすることができない。
　したがって、異議申立ての理由及び証拠によって本件請求項１に係る特許発明の特許は取り消すことはできない。
　また、他に本件請求項１に係る特許発明の特許を取り消すべき理由を発見しない。　
　よって結論のとおり決定する。
【異議決定日】
平成１２年１１月２２日（２０００．１１．２２）